(57)【要約】      （修正有）【課題】使用者の要望に応じて任意に支持角度を調整できる電子装置の支持装置を提供する。【解決手段】電子装置の支持装置は、本体と、調整部材と、固定部と、少なくとも一つのストッパーとを備える。該本体は、支持部と圧触部とを備え、圧触部には、電子装置を配置し、支持部は、電子装置を支え、ストッパーは、電子装置を圧止する。調整部材の一端は支持部に固定し、固定部を本体の他の一端に配置し、調整部材によって、支持部と圧触部間の角度を調整する。調整部材の他の一端は固定部に配置し、支持部と圧触部間の角度を固定する。支持装置は、調整部材と固定部によって、支持部と圧触部間の角度を調整可能である。【選択図】図１
0003169979.tif 000002
【実用新案登録請求の範囲】
【請求項１】
電子装置を支える支持部と電子装置を配置する圧触部とを備える本体と、
一端を支持部に固定し、支持部と圧触部間の角度を調整する調整部材と、
本体に配置し、調整部材の他の一端を配置して支持部と圧触部間の角度を固定する固定部と、圧触部に配置して電子装置を圧止するための少なくとも一つのストッパーと、により構成される電子装置の支持装置。
【請求項２】
前記支持部には支持部材を備えることを特徴とする請求項１記載の電子装置の支持装置。
【請求項３】
前記圧触部には積載部材を備えることを特徴とする請求項１記載の電子装置の支持装置。
【請求項４】
前記調整部材には連接部を備えることを特徴とする請求項１記載の電子装置の支持装置。
【請求項５】
本体に配置し、調整部材が貫通する位置限定部を含むことを特徴とする請求項１記載の電子装置の支持装置。
【請求項６】
前記位置限定部には穿孔を含み、調整部材は穿孔を貫通することを特徴とする請求項５記載の電子装置の支持装置。
【請求項７】
前記ストッパーは本体に配置し、尚且つ穿孔を備え、調整部材は、ストッパーの穿孔を貫通することを特徴とする請求項１記載の電子装置の支持装置。
【請求項８】
前記本体には収容部を備え、収容部には開口を備えて、電子装置を収納することを特徴とする請求項１記載の電子装置の支持装置。
【請求項９】
前記収容部内にはさらに振動吸収層を配置し、振動吸収層は電子装置を包覆することを特徴とする請求項８記載の電子装置の支持装置。
【請求項１０】
前記本体には、電子装置を吸着する吸着層を備えることを特徴とする請求項１記載の電子装置の支持装置。
【考案の詳細な説明】
【技術分野】
【０００１】
本考案は、支持装置に関し、特に、電子装置を支え、電子装置を任意の角度に調整可能な支持装置に係る。
【背景技術】
【０００２】
科学技術の進歩及び人々の生活の質に対する要求の向上にともない、多くの電子製品が出現した。また、電子製品に最大の使用機能を発揮させるために、各種の携帯や機能を手動操作できる電子製品が生まれた。例えば、現在、よくみられる携帯式電子装置には、インテリジェント携帯電話、携帯情報端末（ＰＤＡ）、掌に載せて使用するタイプのゲーム機、タブレットパソコン等である。多くの使用者は、携帯型電子製品は携帯の過程で破損することを恐れているので、通常は保護用のカバーに電子製品を入れているが、保護カバーには、単に、携帯型電子装置を保護する機能しかなく、使用者が携帯型電子装置を長時間使用する場合、手の疲労感を引き起こすことが欠点である。
【０００３】
現在、市場においては、支持機能を備える保護カバーが研究開発されている。それは主に、電子装置を支持する支持構造を備えるものであるが、支持構造によっては、その支持角度を調整できないか、もしくは、支持角度は調整できるが、いくつかの角度からの選択だけで、自分の使用したい角度の選択はできないものである。
【０００４】
前述の問題に鑑み、本考案は、使用者の要望に応じて任意に支持角度を調整でき、電子装置に使用者の要求する使用角度を実現する電子装置の支持装置を提供する。
【考案の概要】
【考案が解決しようとする課題】
【０００５】
本考案の目的は、主に、電子装置を支えて使用者の使用に利便をはかる電子装置の支持装置を提供することにある。
【課題を解決するための手段】
【０００６】
また、本考案の次の目的は、支持装置の角度を任意に調整し、使用者の要求する使用角度を実現する電子装置の支持装置を提供することにある。
【０００７】
前述の目的を達成するために、本考案の提供する電子装置の支持装置は、電子装置を支える支持部と電子装置を配置する圧触部とを備える本体と、一端を支持部に固定し、支持部と圧触部間の角度を調整する調整部材と、本体に配置し、調整部材の他の一端を配置して支持部と圧触部間の角度を固定する固定部と、圧触部に配置して電子装置を圧止するための少なくとも一つのストッパーと、により構成される。
【考案の効果】
【０００８】
本考案の電子装置の支持装置は、調整部材及び固定部によって支持部と圧触部間の角度を調整し、電子装置を使用者の要求する角度において使用できるようにし、また、本考案の支持部と圧触部間の角度は、固定部に配置した調整部材の位置にもとづき、任意に調整でき、並びに、本考案の支持装置は、電子装置を収納できるため、携帯を便利にし、電子装置を保護する効果を備える。
【図面の簡単な説明】
【０００９】
【図１】本考案の第一実施例の外観図である。
【図２】本考案の第一実施例の使用状態図である。
【図３】本考案の第二実施例の使用状態図である。
【図４】本考案の第三実施例の外観図である。
【図５】本考案の第四実施例の使用状態図である。
【図６】本考案の第五実施例の使用状態図である。
【図７】本考案の第六実施例の使用状態図である。
【図８】本考案の第七実施例の内部視図である。
【考案を実施するための形態】
【００１０】
貴庁の審査委員の方々に本考案の構造の特徴及び達成する効果をさらにご理解いただくために、次に、好ましい実施例を用いた詳細説明を行う。
【実施例】
【００１１】
図１及び図２に、本考案の第一実施例の外観図と使用状態図を示す。図に示すとおり、本実施例で提供する電子装置の支持装置１において、支持装置１は、本体１０と、調整部材１２と、固定部１４と、少なくとも一つのストッパー１５とを備える。本体１０には、支持部１０１と圧触部１０３とを備え、支持部１０１と圧触部１０３はそれぞれ、本体１０の両端に配置する。本実施例の調整部材１２の一端は支持部１０１に固定し、尚且つ、本体１０の第一表面１００上に配置する。固定部１４もまた、本体１０の第一表面１００上に配置する。本実施例には、ストッパー１５を一つだけ設け、ストッパー１５は圧触部１０３に配置し、尚且つ、本体１０の第一表面１００上に位置させる。電子装置２を支持装置１に配置したい場合は、まず、支持部１０１と圧触部１０３間の角度を調整した後、電子装置２を圧触部１０３に置く。電子装置２は、支持部１０１に支えられ、ストッパー１５が電子装置２の底部を圧止するため、電子装置２には使用角度が生じ、電子装置２が支持装置１より離脱するのを防ぐ。使用者が電子装置２の使用角度を調整したい場合は、支持部１０１と圧触部１０３間の角度を調整するだけでよい。前記電子装置２は、例えば、タブレットパソコン、ＰＤＡ、インテリジェント携帯電話等の携帯式電子装置である。本実施例は、タブレットパソコンを例とする。
【００１２】
前記本体１０の材質は、軟性材料（例えば、マイクロファイバーレザーあるいは一般の皮材料）あるいは硬性物質とする。本体１０の材質を軟性材料とするなら、支持部１０１内にはさらに支持部材１０１１を配置し、支持部材１０１１は、板体、架体、あるいはその他の支持材料とし、これにより、支持部１０１の強度と可撓性を高め、支持部１０１の陥没を防止する。同様に、圧触部１０３内にはさらに積載部材１０３１を配置し、積載部材１０３１は圧触部１０３の強度を高め、圧触部１０３が電子装置２を積載する安定性を向上させる。
【００１３】
支持部１０１と圧触部１０３間の角度は主に、調整部材１２と固定部１４によって調整する。本実施例の調整部材１２の一端には連接部１２１を備え、連接部１２１は固定部１４に配置する。本実施例の調整部材１２は可撓性のあるベルト体であり、連接部１２１はメスのマジックテープ（登録商標）（またはオスのマジックテープ（登録商標））とし、固定部１４はオスのマジックテープ（登録商標）（またはメスのマジックテープ（登録商標））とする。前述した調整部材１２の形態と連接部１２１と固定部１４の固定方式は、単なる一つの好ましい実施例であり、連接部１２１と固定部１４は、ボタンをはめ合わせての結合、カギ状のものとホゾとの嵌合、または、オスメスを引き掛ける固定方式とすることも可能である。調整部材１２は可撓性を備えたライン体、硬性材質とすることも可能であるが、ここでは説明を省く。
【００１４】
本体１０に外部の力が加わった時、支持部１０１と圧触部１０３間にはある角度が生じる。本体１０に外部の力がない場合、本体１０は自動的に開かれてフラット上体となる。よって、本体１０は、調整部材１２と固定部１４を用いて、支持部１０１と圧触部１０３間の角度を固定する必要がある。本実施例の支持装置１は、固定部１４に配置した連接部１２１の位置を調整することにより、支持部１０１と圧触部１０３間の角度を調整可能である。具体的に説明すると、固定部１４に配置した連接部１２１の位置が支持部１０１に近づくほど、支持部１０１と圧触部１０３間の角度は大きくなる。また、固定部１４に配置した連接部１２１の位置が支持部１０１から離れるほど、支持部１０１と圧触部１０３間の角度は小さくなる。
【００１５】
図３には、本考案の第二実施例の使用状態図を示す。図に示すとおり、第一実施例の調整部材１２で使用したベルト体は、本実施例の調整部材１２では、メスのマジックテープ（登録商標）とし、それに対応する固定部１４をオスのマジックテープ（登録商標）とする。調整部材１２の連接部１２１は、支持部１０１の端部に位置し、連接部１２１を固定部１４に配置した時、圧触部１０３に相対する支持部１０１は旋回し、尚且つ、圧触部１０３の一部を被覆し、圧触部１０３との間にある角度を形成する。その後、電子装置２を支持装置１に配置する。電子装置２は支持部１０１の支えられて、その底部はストッパー１５によって阻止されるため、電子装置２は使用者の要求する角度を実現し、電子装置２が支持装置１から離脱するのを防ぐ。前述した調整部材１２と固定部１４はマジックテープ（登録商標）を例としたが、磁石によって相互を吸着したり、ボタンを掛け合わせたり、カギ状のものとホゾ状のものを嵌合する等の方式とすることも可能であるが、これについては説明を省く。
【００１６】
図４に、本考案の第三実施例の外観図を示す。図に示すとおり、第一実施例において使用したストッパー１５の数量は一つであったが、本実施例のストッパー１５の数量は二つとする。二つのストッパー１５は、圧触部１０３に配置し、電子装置２の底部を圧止することにより、電子装置２が支持装置１から離脱するのを防ぐ。
【００１７】
図５に、本考案の第四実施例の使用状態図を示す。図に示すとおり、本実施例と第一実施例の異なる箇所は、本実施例の固定部１４は本体１０の第二表面１０２に配置し、調整部材１２の連接部１２１は、本体１０の支持部１０１から第二表面１０２にめぐらし、第二表面１０２の固定部１４に配置する。その後、固定部１４に配置した連接部１２１の位置を調整することにより、支持部１０１の角度を調整する。具体的に説明すると、固定部１４に配置した連接部１２１の位置が支持部１０１に近づくほど、支持部１０１と圧触部１０３間の角度は小さくなる。また、固定部１４に配置した連接部１２１の位置が支持部１０１から離れるほど、支持部１０１と圧触部１０３間の角度は大きくなる。
【００１８】
本実施例のストッパー１５は圧触部１０３に配置し、尚且つ、調整部材１２上に位置する。調整部材１２の移動を阻止してしまうのを防ぐために、ストッパー１５には穿孔１５１を設け、穿孔１５１に調整部材１２を通過させる。調整部材１２は穿孔１５１内の前後を移動して調整を行なう。
【００１９】
図６に、本考案の第五実施例の使用状態図を示す。図に示すとおり、第四実施例の調整部材１２の一端に固定部１４を配置したい場合、調整部材１２は圧触部１０３上方に必ず跨がらなくてはならず、電子装置２の設置に影響を及ぼすことになる。電子装置２を本体１０の圧触部１０３に安定状態で配置し、調整部材１２の干渉を受けさせないために、本実施例の支持装置１にはさらに位置限定部１６を含む。本体１０の第一表面１００に配置した位置限定部１６には、穿孔１６１を備え、調整部材１２は穿孔１６１を通過させるため、元来、圧触部１０３上方に跨るはずの調整部材１２は位置限定部１６の制限を受け、位置限定部１６とストッパー１５間の調整部材１２が本体１０の第一表面１００に密着するため、電子装置２を配置する位置がフラット状態となる。これにより、電子装置２は調整部材１２の影響を受けずに、圧触部１０３上に安定状態で配置される。
【００２０】
図７に、本考案の第六実施例の使用状態図を示す。図に示すとおり、前述した実施例はすべて、電子装置２の使用状態であり、本実施例は電子装置２を収納、携帯状態を示す。本実施例の本体１０には吸着層１０５を備え、吸着層１０５は本体１０内に埋設するか、本体１０表面に位置させる。本実施例の吸着層１０５は、本体１０内に埋設し、吸着層１０５は電子装置２を吸着するためのものである。このように、支持装置１と電子装置２を同時に携帯でき、携帯の便利性を向上させ、尚且つ、電子装置２を保護することができる。前記吸着層１０５は、複数の磁石により構成され、静電層、繰り返し貼り付け可能な粘着層、あるいは、その他の吸着可能な材質とする。
【００２１】
図８に、本考案の第七実施例の一部断面図を示す。図に示すとおり、本実施例では、電子装置２を収納する別の方式を提供する。本実施例の本体１０には収容部１０４を備え、収容部１０４には開口１０４１を備え、電子装置２は開口１０４１から収容部１０４に挿入する。これにより、支持装置１と電子装置２を同時に携帯でき、携帯の利便性を高め、電子装置２を保護することもできる。電子装置２が開口１０４１から抜け落ちるのを防止するために、調整部材１２の一端を収容部１０４の開口１０４１に跨らせ、本体１０の第二表面１０２に位置する固定部１４を配置し、電子装置２の抜け落ちを防ぐ。その内、収容部１０４内には、さらに、振動吸収層１０４３を備え、携帯時に生じる振動による電子装置２の損傷を防ぐ。
【００２２】
上述内容をまとめると、本考案の提供する電子装置の支持装置において、支持装置は、主に電子装置を支えるためのもので、調整部材及び固定部によって支持部と圧触部間の角度を調整し、電子装置を使用者の要求する角度において使用できるようにする。また、本考案の支持部と圧触部間の角度は、固定部に配置した調整部材の位置にもとづき、任意に調整できる。並びに、本考案の支持装置は、電子装置を収納できるため、携帯を便利にし、電子装置を保護することができる。
【００２３】
以上のとおり、本考案は、新規性、進歩性、産業利用価値を備えており、特許法の規定する特許出願要件に符合することに疑いの余地はないと思われる。よって、ここに、法に基づき出願を行う故、貴庁には、早期の批准をお願い申し上げる。
【００２４】
但し、前述したものは、単に、本考案の好ましい実施例であるのみで、本考案の実施範囲を限定するものではない。本考案の実用新案登録請求の範囲に記載した形状、構造、特徴、精神にもとづく同等効果を有する変化や修飾はすべて、本考案の実用新案登録請求の範囲内に含むことをここに明記する。
【符号の説明】
【００２５】
１          支持装置
１０        本体
１００      第一表面
１０１      支持部
１０１１    支持部材
１０２      第二表面
１０３      圧触部
１０３１    積載部材
１０４      収容部
１０４１    開口
１０４３    振動吸収層
１０５      吸着層
１２        調整部材
１２１      連接部
１４        固定部
１５        ストッパー
１５１      穿孔
１６        位置限定部
１６１      穿孔
２          電子装置
【図１】
0003169979.tif 000003
【図２】
0003169979.tif 000004
【図３】
0003169979.tif 000005
【図４】
0003169979.tif 000006
【図５】
0003169979.tif 000007
【図６】
0003169979.tif 000008
【図７】
0003169979.tif 000009
【図８】
0003169979.tif 000010